(57)【要約】【課題】液晶装置において、消費電力を抑制しつつ長い書込期間を確保する。【解決手段】液晶装置１を提供する。液晶装置１は、表示すべき階調に応じた大きさのデータ信号を生成しデータ信号生成回路２１１と、プリチャージ信号Ｖｐｒｅを生成するプリチャージ信号生成回路２０とを備え、プリチャージ期間Ｐｒｅではプリチャージ信号Ｖｐｒｅをデータ線１０３及び１０５に供給し、データ期間Ｄａではデータ信号をデータ線１０３に供給する。ただし、データ信号生成回路２１１は、データ信号の極性を所定数のドット毎に反転する。また、液晶装置１は、データ線１０５へのプリチャージ信号Ｖｐｒｅの供給の開始からデータ線１０５の電圧が比較電圧に到達するまでの時間を計測し、計測した時間に基づいて、データ期間Ｄａにおいて、所定数のドットの各々に対応するデータ信号が均等な時間だけ生成されるようにデータ信号生成回路２１１を制御する。【選択図】図５
2011203612.tif 000002
【特許請求の範囲】
【請求項１】
複数の走査線と、複数のデータ線と、前記走査線と前記データ線の交差に対応して設け
られた複数の画素回路とを備える液晶装置であって、
表示すべき階調に応じた大きさのデータ信号を生成し、前記データ信号の極性を所定数
のドット毎に反転するデータ信号生成部と、
プリチャージ信号を生成するプリチャージ信号生成部と、
前記データ信号と前記プリチャージ信号とのうち、一方を選択して前記データ線に出力
する選択部と、
前記選択部が前記データ線に前記プリチャージ信号を出力するプリチャージ期間におい
て前記データ線の電圧を検出して検出電圧を出力する電圧検出部と、
前記検出電圧が予め定められた比較電圧に到達したことを検知して、前記データ線へ出
力する信号を前記プリチャージ信号から前記データ信号に切り替えるように前記選択部を
制御して前記プリチャージ期間を終了させる第１制御部と、
前記プリチャージ期間の長さを計測してプリチャージ時間を出力する時間計測部と、
前記プリチャージ時間に基づいて、前記選択部が前記データ信号を選択するデータ期間
において、前記所定数のドットの各々に対応するデータ信号が均等な時間だけ生成される
ように前記データ信号生成部を制御する第２制御部と、
を備えた液晶装置。
【請求項２】
前記プリチャージ信号生成部は、
正極性電位を供給する正極性電位供給部と、
負極性電位を供給する負極性電位供給部と、
前記データ信号の極性反転の周期に応じて、前記正極性電位と前記負極性電位とを選択
して、前記プリチャージ信号として出力する電位選択部とを備える、
ことを特徴とする請求項１に記載の液晶装置。
【請求項３】
前記第１制御部は、
前記比較電圧を生成する比較電圧発生部と、
前記検出電圧と前記比較電圧とを比較する比較部とを備え、
前記比較部の比較結果に基づいて、前記プリチャージ信号から前記データ信号に切り替
えるように前記選択部を制御する、
ことを特徴とする請求項１又は２に記載の液晶装置。
【請求項４】
前記第２制御部は、前記データ信号が正極性又は負極性となる時間を単位時間としたと
き、前記単位時間から前記プリチャージ時間を減算して得た差分時間を前記所定数で除算
して前記所定数のドットに割り当てる時間を決定する、
ことを特徴とする請求項１乃至３のうちいずれか１項に記載の液晶装置。
【請求項５】
前記電圧検出部が電圧を検出するデータ線は、前記複数のデータ線のうち、表示に寄与
しないダミーのデータ線である、
ことを特徴とする請求項１乃至４のうちいずれか１項に記載の液晶装置。
【請求項６】
前記画素回路は、画素電極と、対向電極と、前記画素電極と対向電極との間に挟持され
た液晶と、前記走査線とゲートが接続され、前記データ線とソース又はドレインの一方が
接続され、前記画素電極とソース又はドレインの一方が接続されたアモルファス薄膜トラ
ンジスタとを備える、
ことを特徴とする請求項１乃至５のうちいずれか１項に記載の液晶装置。
【請求項７】
請求項１乃至６のうちいずれか１項に記載の液晶装置を備えた電子機器。
【請求項８】
複数の走査線と、複数のデータ線と、前記走査線と前記データ線の交差に対応して設け
られた複数の画素回路とを備える液晶装置の駆動方法であって、
表示すべき階調に応じた大きさのデータ信号を生成し、前記データ信号の極性を所定数
のドット毎に反転し、
前記データ信号とプリチャージ信号とのうち、一方を選択して前記データ線に出力し、
前記データ線に前記プリチャージ信号を出力するプリチャージ期間において前記データ
線の電圧を検出電圧として検出し、
前記検出電圧が予め定められた比較電圧に到達したことを検知して、前記データ線へ出
力する信号を前記プリチャージ信号から前記データ信号に切り替えるように制御して前記
プリチャージ期間を終了させ、
前記プリチャージ期間の長さを計測してプリチャージ時間を取得し、
前記プリチャージ時間に基づいて、前記データ信号を選択するデータ期間において、前
記所定数のドットの各々に対応するデータ信号が均等な時間だけ生成されるように制御す
る、
ことを特徴とする液晶装置の駆動方法。
【発明の詳細な説明】
【技術分野】
【０００１】
本発明は、液晶装置とその駆動方法と電子機器に関し、特にプリチャージと電圧書込と
の最適化に関する。
【背景技術】
【０００２】
液晶装置の一種に、カラー画像を表示する液晶表示装置がある。液晶表示装置は、複数
の走査線と、複数のデータ線と、走査線とデータ線との交差に対応して設けられた複数の
ドットを備える。各ドットは、液晶素子と、液晶素子に印加する電圧の書き込みを制御す
る書込制御ＴＦＴ（薄膜トランジスタ）とを備え、色味がＲ（赤）、Ｇ（緑）又はＢ（青
）の色を表示することができる。各ドットには、データ線から書込制御ＴＦＴを介してデ
ータ信号を供給することによって書き込まれた電圧に応じた階調が表示される。
【０００３】
液晶表示装置には、書込制御ＴＦＴとして、アモルファスシリコンを用いて形成された
ａ−ＴＦＴ（アモルファスＴＦＴ）を採用したものと、ＬＴＰＳ（低温ポリシリコン）を
用いて形成されたＬＴＰＳ−ＴＦＴを採用したものとがある。ａ−ＴＦＴを採用した液晶
表示装置は、１画素を構成する３個のドット（Ｒ、Ｇ及びＢの色を表示可能なドット）が
互いに異なるデータ線に対応するように構成されている。したがって、高精細化が進むと
配線の引き回しが困難となる。
【０００４】
一方、ＬＴＰＳ−ＴＦＴを採用した液晶表示装置として、デマルチプレクス駆動方式を
採用したものが知られている。デマルチプレクス駆動方式では、１画素を構成する３個の
ドットが１本のデータ線に対応しており、これらのドットへの電圧の書き込みは、１本の
データ線を時分割で用いることによって行われる。したがって、ａ−ＴＦＴを採用した液
晶表示装置において、デマルチプレクス駆動方式を採用すれば、配線数が削減されるから
、上記の問題を解決することができる。
【０００５】
しかし、１本のデータ線を時分割で用いると、ドットに電圧を書き込む書込期間が短く
なる虞がある。ａ−ＴＦＴは、ＬＴＰＳ−ＴＦＴよりも移動度が低いから、書込期間の短
縮は、書込不足を招く虞がある。また、液晶表示装置では、直流成分の残留による液晶素
子の劣化を抑制するために、データ信号の極性を周期的に反転させる必要がある。すなわ
ち、データ線の電圧を周期的に大きく変動させる必要がある。しかし、データ線は少なか
らぬ寄生容量を持ち、ａ−ＴＦＴの移動度は低いから、極性反転には長い時間を要する。
【０００６】
例えば、図９に示すように、極性反転を１ドット毎に行う場合には、データ線の電圧を
大幅かつ頻繁に変動させる必要があり、各ドットの書込期間において書込不足が生じる虞
がある。これに対して、図１０に示すように、極性反転を３ドット毎に行う場合には、デ
ータ線の電圧を大幅に変動させる回数が減る。しかし、１回の極性反転に要する時間は変
わらないから、極性反転を行う書込期間（図１０では書込期間Ｒ１及びＲ２）において、
書込不足が生じる虞がある。
【０００７】
一方、特許文献１には、プリチャージを行う液晶表示装置が開示されている。この装置
では、書込期間の直前のプリチャージ期間において、データ線に正電圧または負電圧のプ
リチャージ信号が供給される。これにより、データ線に正電荷または負電荷がチャージ（
注入）され、その上で書込期間を迎えることになる。したがって、書込不足の発生を抑制
することができる。
【先行技術文献】
【特許文献】
【０００８】
【特許文献１】特開２００９−１０９７０５号公報
【発明の概要】
【発明が解決しようとする課題】
【０００９】
ａ−ＴＦＴを採用した液晶表示装置において、デマルチプレクス駆動方式を採用し、さ
らに、極性反転を行う書込期間の前にプリチャージ期間を設ければ、書込不足の発生を抑
制することができる。この場合、長い書込期間を確保するために、プリチャージ期間をで
きる限り短くするのが好ましい。短い期間において十分な量の電荷をチャージするために
は、プリチャージ信号を大きくする必要がある。
【００１０】
しかし、図１１に示すように、プリチャージ信号が大きすぎると、チャージした電荷の
多くが無駄になるから消費電力が増大してしまう。一方、プリチャージ信号が小さすぎる
と、不十分な量の電荷しかチャージされないから、書込不足の発生を十分に抑制すること
ができない。プリチャージ信号を大きくすることなく十分な量の電荷をチャージするため
には、プリチャージ期間を長くするかしかないが、これは、書込期間の短縮による書込不
足を招く虞がある。
【００１１】
本発明は、上述した事情に鑑みて為されたものであり、消費電力を抑制しつつ長い書込
期間を確保することを目的とする。
【課題を解決するための手段】
【００１２】
上記課題を解決するため、本発明の液晶装置は、複数の走査線と、複数のデータ線と、
前記走査線と前記データ線の交差に対応して設けられた複数の画素回路とを備える液晶装
置であって、表示すべき階調に応じた大きさのデータ信号を生成し、前記データ信号の極
性を所定数のドット毎に反転するデータ信号生成部と、プリチャージ信号を生成するプリ
チャージ信号生成部と、前記データ信号と前記プリチャージ信号とのうち、一方を選択し
て前記データ線に出力する選択部と、前記選択部が前記データ線に前記プリチャージ信号
を出力するプリチャージ期間において前記データ線の電圧を検出して検出電圧を出力する
電圧検出部と、前記検出電圧が予め定められた比較電圧に到達したことを検知して、前記
データ線へ出力する信号を前記プリチャージ信号から前記データ信号に切り替えるように
前記選択部を制御して前記プリチャージ期間を終了させる第１制御部と、前記プリチャー
ジ期間の長さを計測してプリチャージ時間を出力する時間計測部と、前記プリチャージ時
間に基づいて、前記選択部が前記データ信号を選択するデータ期間において、前記所定数
のドットの各々に対応するデータ信号が均等な時間だけ生成されるように前記データ信号
生成部を制御する第２制御部と、を備える。
【００１３】
この発明では、プリチャージ期間ではプリチャージ信号が、データ期間ではデータ信号
がデータ線へ出力される。プリチャージ期間は、データ線の電圧が比較電圧に到達すると
終了する。したがって、プリチャージ信号を大きくても、余分な電荷がデータ線にチャー
ジされる虞がない。つまり、プリチャージ期間を短縮して消費電力を抑制することができ
る。また、本発明では、データ期間では、プリチャージ期間の長さ（プリチャージ時間）
に基づいて、所定数のドットの各々に対応するデータ信号が均等な時間だけ生成される。
つまり、プリチャージ期間を短縮した分だけ、画素回路への電圧の書込期間を長く確保す
ることができる。以上より、本発明によれば、消費電力を抑制しつつ長い書込期間を確保
することができる。
【００１４】
ところで、データ線へのプリチャージ信号の出力の開始からデータ線の電圧が比較電圧
に到達するまでの時間は、プリチャージ信号生成部などの各部の特性の経時変化によって
変動する。したがって、プリチャージ期間が固定の場合には、チャージされる電荷の量が
不足して書込不足を招いたり、チャージされる電荷の量が過多となって消費電力の増大を
招いたりするケースが発生する。これに対して、本発明では、データ線の電圧が比較電圧
に到達するとプリチャージ期間が終了し、計測されたプリチャージ時間に基づいて書込期
間が定められるから、すなわち計測されたプリチャージ時間に基づいてプリチャージ期間
Ｐｒｅと書込期間Ｒ，Ｇ及びＢとが動的に設定されるから、そのようなケースが発生しな
い。
【００１５】
上記の液晶装置において、前記プリチャージ信号生成部が、正極性電位を供給する正極
性電位供給部と、負極性電位を供給する負極性電位供給部と、前記データ信号の極性反転
の周期に応じて、前記正極性電位と前記負極性電位とを選択して、前記プリチャージ信号
として出力する電位選択部とを備えることが好ましい。
【００１６】
上記の各液晶装置において、前記第１制御部は、前記比較電圧を生成する比較電圧発生
部と、前記検出電圧と前記比較電圧とを比較する比較部とを備え、前記比較部の比較結果
に基づいて、前記プリチャージ信号から前記データ信号に切り替えるように前記選択部を
制御することが好ましい。
【００１７】
上記の各液晶装置において、前記第２制御部は、前記データ信号が正極性又は負極性と
なる時間を単位時間としたとき、前記単位時間から前記プリチャージ時間を減算して得た
差分時間を前記所定数で除算して前記所定数のドットに割り当てる時間を決定することが
好ましい。
【００１８】
ところで、計測されるプリチャージ時間は、プリチャージ期間の開始時の検出電圧と比
較電圧との差分が小さいほど短くなる。一方、表示に寄与するデータ線を検出対象とした
場合、プリチャージ期間の開始時の検出電圧は、このデータ線を用いて直前に書き込まれ
た電圧に依存する。つまり、この場合には、表示内容に応じた時間がプリチャージ時間と
して計測される。このプリチャージ時間に係るプリチャージ期間は、検出対象のデータ線
については十分に長いが、他のデータ線については短すぎる虞がある。そこで、上記の各
液晶装置において、前記電圧検出部が電圧を検出するデータ線は、前記複数のデータ線の
うち、表示に寄与しないダミーのデータ線であることが好ましい。表示に寄与しないダミ
ーのデータ線を検出対象とすれば、表示に影響を及ぼすことなく、プリチャージ期間の開
始時の検出電圧を、十分に長いプリチャージ期間を確保可能な電圧とすることができるか
らである。
【００１９】
上記の各液晶装置において、前記画素回路が、画素電極と、対向電極と、前記画素電極
と対向電極との間に挟持された液晶と、前記走査線とゲートが接続され、前記データ線と
ソース又はドレインの一方が接続され、前記画素電極とソース又はドレインの一方が接続
されたａ−ＴＦＴとを備えるようにすることができる。ａ−ＴＦＴはＬＴＰＳ−ＴＦＴよ
りも移動度が低いから、ａ−ＴＦＴを介して電圧を書き込む場合には、より長い書込期間
を確保する必要があるが、前述したように、本発明では長い書込期間が確保されるから、
ａ−ＴＦＴを介して電圧を書き込む構成を採用することができる。
【００２０】
また、本発明は、上記の各液晶装置を備えた電子機器として把握することもできる。ま
た、本発明は、液晶装置の駆動方法として把握することもできる。この場合、複数の走査
線と、複数のデータ線と、前記走査線と前記データ線の交差に対応して設けられた複数の
画素回路とを備える液晶装置を駆動対象とし、表示すべき階調に応じた大きさのデータ信
号を生成し、前記データ信号の極性を所定数のドット毎に反転し、前記データ信号とプリ
チャージ信号とのうち、一方を選択して前記データ線に出力し、前記データ線に前記プリ
チャージ信号を出力するプリチャージ期間において前記データ線の電圧を検出電圧として
検出し、前記検出電圧が予め定められた比較電圧に到達したことを検知して、前記データ
線へ出力する信号を前記プリチャージ信号から前記データ信号に切り替えるように制御し
て前記プリチャージ期間を終了させ、前記プリチャージ期間の長さを計測してプリチャー
ジ時間を取得し、前記プリチャージ時間に基づいて、前記データ信号を選択するデータ期
間において、前記所定数のドットの各々に対応するデータ信号が均等な時間だけ生成され
るように制御する。
【図面の簡単な説明】
【００２１】
【図１】本発明の第１実施形態に係る液晶装置１の概略構成を示すブロック図である。
【図２】液晶装置１内のデータ線駆動回路２００の構成を示すブロック図である。
【図３】データ線駆動回路２００内の駆動回路２１０の構成を示すブロック図である。
【図４】データ線駆動回路２００内のタイミング制御回路２２０の構成を示すブロック図である。
【図５】液晶装置１の動作を説明するためのタイミングチャートである。
【図６】液晶装置１を採用したパーソナルコンピュータの構成を示す斜視図である。
【図７】液晶装置１を採用した携帯電話機の構成を示す斜視図である。
【図８】液晶装置１を採用した携帯情報端末の構成を示す斜視図である。
【図９】従来の液晶装置を説明するための図である。
【図１０】従来の液晶装置を説明するための図である。
【図１１】従来の液晶装置を説明するための図である。
【発明を実施するための形態】
【００２２】
＜Ａ：実施形態＞
図１は、本発明の第１実施形態に係る液晶装置１の概略構成を示すブロック図である。
液晶装置１は、カラー画像を表示する液晶表示装置であり、電気光学パネルＡＡとデータ
線駆動回路２００と制御回路３００とを備える。電気光学パネルＡＡには、画素領域Ａと
走査線駆動回路１００とが形成されている。このうち、画素領域Ａには、Ｘ方向と平行に
ｍ本の走査線１０１が形成されている。ｍは３の倍数である。また、Ｘ方向と直交するＹ
方向と平行にｎ本のデータ線１０３が形成されている。そして、走査線１０１とデータ線
１０３との各交差に対応して画素回路４００が各々設けられている。すなわち、画素領域
Ａには、ｍ行ｎ列の画素回路４００が配置されている。
【００２３】
画素回路４００は、ノーマリーブラック方式の液晶素子を備えたドットであり、色味が
Ｒ、Ｇ又はＢの色を表示可能である。各行には、同一の色味の色を表示可能なドットが並
んでおり、各列には、Ｒ、Ｇ及びＢの色を表示可能な３種のドット（Ｒ、Ｇ及びＢドット
）が交互に並んでいる。各列においてＲ、Ｇ、Ｂの順に並ぶ３個のドット（Ｒ、Ｇ及びＢ
ドット）は、白色を表示可能な画素を構成している。つまり、画素領域Ａには、ｍ／３行
ｎ列の画素が配置されている。
【００２４】
液晶素子は、画素電極６と、図示しない対向電極と、両電極間に挟持されて両電極間の
電圧（駆動電圧)で駆動される液晶とを備える。液晶素子の透過率又は反射率は、駆動電
圧に応じて変化する。画素回路４００は、液晶素子の他に、対応するデータ線１０３と画
素電極６との間に介挿されたＮチャネルのＴＦＴ５０と、駆動電圧を保持する容量素子５
１とを備え、駆動電圧に応じた階調を表示する。ＴＦＴ５０はａ−ＴＦＴであり、そのゲ
ートは対応する走査線１０１に接続され、そのソースは対応するデータ線１０３と接続さ
れ、そのドレインは画素電極６と接続されている。なお、ＴＦＴ５０として、Ｐチャネル
のＴＦＴを採用してもよいし、ＬＴＰＳ−ＴＦＴを採用してもよい。
【００２５】
また、画素領域Ａには、Ｙ方向と平行にデータ線１０５が設けられている。データ線１
０５はｎ本のデータ線１０３と同一のプロセスで形成された配線であり、その容量値はデ
ータ線１０３の容量値と等しい。データ線１０５には、表示に寄与しないｍ個のダミー回
路５００が接続されている。つまり、データ線１０５は、表示に寄与しないダミー配線で
ある。ダミー回路５００は、例えば容量素子で構成され、その容量値は、ＴＦＴ５０がオ
フ状態の画素回路４００の入力容量値と等しい。
【００２６】
つまり、データ線１０５に電荷をチャージする場合の負荷は、ＴＦＴ５０がオフ状態の
ｍ個の画素回路４００に対応するデータ線１０３に電荷をチャージする場合の負荷と等し
い。なお、データ線１０５及びｍ個のダミー回路５００に代えて、電荷をチャージする場
合の負荷が、ＴＦＴ５０がオフ状態のｍ個の画素回路４００に対応するデータ線１０３に
電荷をチャージする場合の負荷と等しい任意の回路を採用可能である。
【００２７】
走査線駆動回路１００は、クロック信号ＹＣＬＫと、垂直走査期間を規定するスタート
パルスＤＹとに基づいて、走査信号Ｙ１、Ｙ２、Ｙ３、…、Ｙｍを生成する。ｉをｍ以下
の自然数としたとき、走査信号Ｙｉは、第ｉ行のｎ個の画素回路４００に対応するデータ
線１０３に供給される。走査信号Ｙ１、Ｙ２、Ｙ３、…、Ｙｍは、ｍ本の走査線１０１を
順次選択するためのパルス信号であり、排他的にＨレベルとなる。第ｉ行のｎ個の画素回
路４００とこれらの画素回路４００に対応する走査線１０１とは、この走査線１０１に供
給される走査信号ＹｉがＨレベルの期間（パルス幅に相当する期間）にわたって選択され
る。以降、この期間を「選択期間」と称する。
【００２８】
データ線駆動回路２００は、クロック信号ＣＬＫと、階調データＤｒ，Ｄｇ及びＤｂと
、極性信号Ｖｐｌと、後述のリセット信号ＸＲＥＳとに基づいて、ｎ本のデータ線１０３
に対応するデータ線信号Ｘ１〜Ｘｎと、後述の出力信号Ｖｏｕｔを生成する。ｊをｎ以下
の自然数としたとき、データ線信号Ｘｊは、第ｊ列の画素回路４００に対応するデータ線
１０３に供給される。また、出力信号Ｖｏｕｔは、データ線１０５に供給される。
【００２９】
階調データＤｒは、Ｒドットに表示させるべき階調を示す。これと同様に、階調データ
ＤｇはＧドットに、階調データＤｂはＢドットに表示させるべき階調を示す。各階調デー
タが示す階調は、最高階調（白）から最低階調（黒）までの複数階調のうちのいずれか１
つである。データ線信号Ｘｊは、供給先のデータ線１０３に対応するｍ個の画素回路４０
０のうちのいずれか一つの選択期間にあっては、当該一つの画素回路４００に表示させる
べき階調に応じたレベル（電位）となる。
【００３０】
画素回路４００では、その選択期間にわたってＴＦＴ５０がオン状態となる。したがっ
て、画素回路４００の選択期間では、この画素回路４００に対応するデータ線１０３から
供給されたデータ線信号がＴＦＴ５０を介して画素電極６へ供給され、このデータ線信号
のレベルに応じた駆動電圧が容量素子５１に保持される。つまり、画素回路４００には、
その選択期間において、表示すべき階調に応じた駆動電圧が書き込まれる。
【００３１】
ところで、１個の垂直走査期間（１Ｆ）は、ｍ／３個の１Ｈ（１水平走査期間）を含む
。１Ｈでは、１行分の画素を構成する３×ｎ個のドットに駆動電圧が書き込まれる。つま
り、１Ｈは３個の書込期間（選択期間）を含む。これらの書込期間は、先頭から順に、Ｒ
ドットの書込期間Ｒ、Ｇドットの書込期間Ｇ、Ｂドットの書込期間Ｂであり、以降の説明
では、これらを連ねた期間をデータ期間Ｄａと称し、１Ｈの長さを単位時間と称する。
【００３２】
また、データ線信号Ｘｊの極性は、１Ｈ毎（単位時間毎）に反転する。この反転のタイ
ミングを指定するパルスが極性信号Ｖｐｌであり、そのレベルは、正レベルと負レベルと
の間で１Ｈ毎に切り替わる。以降の説明では、極性信号Ｖｐｌが正レベルの１Ｈを正単位
期間、負レベルの１Ｈを負単位期間と称する。
【００３３】
また、データ線駆動回路２００は、データ線を用いて駆動電圧を書き込む前に、当該デ
ータ線にプリチャージを行う。プリチャージは、正又は負の電荷をチャージしてデータ線
の電圧を基準電圧ＧＮＤとする処理であり、チャージ対象のデータ線にプリチャージ信号
Ｖｐｒｅを供給することによって行われる。以降の説明では、プリチャージが行われる期
間をプリチャージ期間Ｐｒｅと称する。つまり、１Ｈは、プリチャージ期間Ｐｒｅとデー
タ期間Ｄａとを含む。プリチャージ信号Ｖｐｒｅのレベルは、正単位期間に含まれるプリ
チャージ期間Ｐｒｅでは正極性電位Ｖｐとなり、負単位期間に含まれるプリチャージ期間
Ｐｒｅでは負極性電位Ｖｎとなる。
【００３４】
制御回路３００は、図示しない上位装置から、ｍ／３行ｎ列の画素によって表示される
べき画像を示す画像データＤｉｎを入力して各種の信号を出力する。具体的には、スター
トパルスＤＹとクロック信号ＹＣＬＫとを走査線駆動回路１００に供給する一方、クロッ
ク信号ＣＬＫと、階調データＤｒ，Ｄｇ及びＤｂと、極性信号Ｖｐｌと、後述のリセット
信号ＸＲＥＳとをデータ線駆動回路２００へ供給する。
【００３５】
階調データＤｒ，Ｄｇ及びＤｂの供給はパラレル方式で行われる。すなわち、ある１Ｈ
に注目すると、この１Ｈに対応する１行分の画素を構成するｎ×３個のドットに表示させ
るべき階調を示すｎ×３個の階調データ（ｎ個の階調データＤｒと、ｎ個の階調データＤ
ｇと、ｎ個の階調データＤｂ）は、それぞれ、この１Ｈにわたって供給される。なお、画
素に係る階調データＤｒ、Ｄｇ及びＤｂは、その画素に白色を表示させる場合には共に最
高階調を示し、その画素に黒色を表示させる場合には共に最低階調を示す。
【００３６】
図２は、データ線駆動回路２００の構成を示すブロック図である。図２に示すように、
データ線駆動回路２００は、駆動回路２１０と、タイミング制御回路２２０とを備える。
駆動回路２１０は、階調データＤｒ，Ｄｇ及びＤｂと、選択信号ＳＥＬと、イネーブル信
号ＸＥＮＢと、プリチャージ信号Ｖｐｒｅとに基づいて、データ線信号Ｘ１〜Ｘｎを生成
する。選択信号ＳＥＬは、書込期間Ｒ，Ｇ及びＢを規定する信号である。イネーブル信号
ＸＥＮＢは、プリチャージ期間Ｐｒｅ及びデータ期間Ｄａを規定する信号であり、プリチ
ャージ期間ＰｒｅではＬレベルを、データ期間ＤａではＨレベルを維持する。
【００３７】
タイミング制御回路２２０は、プリチャージ信号生成回路２０を備え、クロック信号Ｃ
ＬＫと、極性信号Ｖｐｌと、後述のリセット信号ＸＲＥＳとに基づいて、選択信号ＳＥＬ
と、イネーブル信号ＸＥＮＢと、プリチャージ信号Ｖｐｒｅと、出力信号Ｖｏｕｔとを生
成する。出力信号Ｖｏｕｔは、プリチャージ信号Ｖｐｒｅと後述のデータ信号Ｘｗとを切
り替えて得られる信号であり、データ線１０５に供給される。
【００３８】
図３は、駆動回路２１０の構成を示すブロック図である。図３に示すように、駆動回路
２１０は、ｎ本のデータ線１０３に対応するｎ個の選択ユニットＵ１〜Ｕｎを備える。選
択ユニットＵ１〜Ｕｎの構成は互いに同様であり、第ｊ列のドットに対応するデータ線１
０３に対応する選択ユニットＵｊは、イネーブル信号ＸＥＮＢと、選択信号ＳＥＬと、プ
リチャージ信号Ｖｐｒｅと、第ｊ列のｍ個のドットに表示させるべき階調を示す階調デー
タＤｒ，Ｄｇ及びＤｂとに基づいて、データ線信号Ｘｊを生成する。
【００３９】
選択ユニットＵｊは、データ信号生成回路２１１と、バッファ回路２１５と、選択回路
２１６とを備える。データ信号生成回路２１１は、選択信号ＳＥＬと、第ｊ列のｍ個の画
素回路４００に表示させるべき階調を示す階調データＤｒ，Ｄｇ及びＤｂとに基づいて、
データ信号Ｘ１ｒ，Ｘ１ｇ及びＸ１ｂを生成する回路であり、データ選択回路２１４と、
ＤＡＣ２１３と、ボルテージフォロワ２１２とを備える。
【００４０】
データ選択回路２１４は、選択信号ＳＥＬに基づいて、階調データＤｒ，Ｄｇ及びＤｂ
のうち、１つの階調データを選択する。ＤＡＣ２１３は、データ選択回路２１４によって
選択された階調データにＤＡ変換を施してアナログ信号を生成する。そして、このアナロ
グ信号を、正単位期間においてはそのまま出力し、負単位期間においては極性を反転させ
てから出力する。ＤＡＣ２１３の出力信号がボルテージフォロワ２１２の入力信号となり
、ボルテージフォロワ２１２の出力信号がデータ信号Ｘ１ｒ，Ｘ１ｇ又はＸ１ｂとなる。
データ信号Ｘ１ｒ，Ｘ１ｇ及びＸ１ｂの電圧は、正単位期間ではゼロ以上、負単位期間で
はゼロ以下となる。
【００４１】
バッファ回路２１５は、プリチャージ信号Ｖｐｒｅを一時的に保持して出力する。選択
回路２１６は、イネーブル信号ＸＥＮＢに基づいて、データ信号生成回路２１１に生成さ
れたデータ信号と、バッファ回路２１５からのプリチャージ信号Ｖｐｒｅとのうち、いず
れか一方を、データ線信号Ｘｊとして選択する。つまり、イネーブル信号ＸＥＮＢがＬレ
ベルの期間（プリチャージ期間Ｐｒｅ）ではプリチャージ信号Ｖｐｒｅが選択され、イネ
ーブル信号ＸＥＮＢがＨレベルの期間（データ期間Ｄａ）ではデータ信号が選択される。
【００４２】
図４は、タイミング制御回路２２０の構成を示すブロック図である。図４に示すように
、タイミング制御回路２２０は、プリチャージ信号生成回路２０と、データ信号生成回路
３０と、比較電圧発生回路２２２と、選択回路２２１，２２３及び２２４と、コンパレー
タ２２５と、カウンター回路２２６と、演算回路２２７とを備える。プリチャージ信号生
成回路２０は、極性信号Ｖｐｌに基づいてプリチャージ信号Ｖｐｒｅを生成する回路であ
り、正極性電位供給部２１と、負極性電位供給部２２と、選択回路２３と、ボルテージフ
ォロワ２４とを備える。
【００４３】
正極性電位供給部２１は正極性電位Ｖｐを選択回路２３に供給し、負極性電位供給部２
２は負極性電位Ｖｎを選択回路２３に供給する。正極性電位Ｖｐは、正単位期間において
ドットが最高階調を表示するときの当該ドットの駆動電圧と等しく、負極性電位Ｖｎは、
正単位期間においてドットが最高階調を表示するときの当該ドットの駆動電圧と等しいが
、これに限るものではない。
【００４４】
選択回路２３は、極性信号Ｖｐｌに基づいて、供給された二つの電位のうち、いずれか
一方を選択し、選択した電位の信号を出力する。正単位期間では正極性電位Ｖｐが、負単
位期間では負極性電位Ｖｎが選択される。選択回路２３の出力信号がボルテージフォロワ
２４の入力信号となり、ボルテージフォロワ２４の出力信号がプリチャージ信号Ｖｐｒｅ
となる。以上の説明から明らかなように、選択回路２３は、データ信号の極性反転の周期
に応じて、正極性電位Ｖｐと負極性電位Ｖｎとを選択して、プリチャージ信号Ｖｐｒｅと
して出力する電位選択部として機能する。
【００４５】
データ信号生成回路３０は、特定のデータＤに基づいてデータ信号Ｘｗを生成する回路
であり、ＤＡＣ３１と、ボルテージフォロワ３２とを備える。データＤは、正単位期間に
おいてドットが最高階調を表示するときの当該ドットの駆動電圧を示すデータである。Ｄ
ＡＣ３１はデータＤにＤＡ変換を施して、最高階調に応じた電圧のアナログ信号を生成す
る。そして、このアナログ信号を、正単位期間においてはそのまま出力し、負単位期間に
おいては極性を反転させてから出力する。ＤＡＣ３１の出力信号がボルテージフォロワ３
２の入力信号となり、ボルテージフォロワ３２の出力信号がデータ信号Ｘｗとなる。デー
タ信号Ｘｗの電圧は、正単位期間では正電圧（正極性電位Ｖｐ）、負単位期間では負電圧
（負極性電位Ｖｎ）となる。
【００４６】
選択回路２２１は、イネーブル信号ＸＥＮＢに基づいて、プリチャージ信号Ｖｐｒｅと
データ信号Ｘｗとのうち、いずれか一方を選択する。つまり、イネーブル信号ＸＥＮＢが
Ｌレベルの期間（プリチャージ期間Ｐｒｅ）ではプリチャージ信号Ｖｐｒｅが選択され、
イネーブル信号ＸＥＮＢがＨレベルの期間（データ期間Ｄａ）ではデータ信号Ｘｗが選択
される。選択された信号は、出力信号Ｖｏｕｔとして、データ線１０５に供給される。
【００４７】
比較電圧発生回路２２２は、データ線１０５の電圧と比較する比較電圧を発生させる。
比較電圧は基準電圧ＧＮＤと等しいが、これに限るものではない。選択回路２２３及び２
２４は、それぞれ、極性信号Ｖｐｌに基づいて、比較電圧とデータ線１０５の電圧とのう
ち、いずれか一方を選択し、選択した電圧を出力する。具体的には、選択回路２２３は、
正単位期間ではデータ線１０５の電圧を選択し、負単位期間では比較電圧を選択する。一
方、選択回路２２４は、正単位期間では比較電圧を選択し、負単位期間ではデータ線１０
５の電圧の電圧を選択する。つまり、選択回路２２３及び２２４は、データ線１０５の電
圧を検出する電圧検出部として機能する。
【００４８】
コンパレータ２２５は、選択回路２２３の出力電圧と選択回路２２４の出力電圧とを比
較し、比較結果に基づいて、２値のイネーブル信号ＸＥＮＢを出力する。イネーブル信号
ＸＥＮＢは、選択回路２２３の出力電圧が選択回路２２４の出力電圧を上回る場合にはＨ
レベルとなり、他の場合にはＬレベルとなる。すなわち、イネーブル信号ＸＥＮＢは、正
単位期間では、データ線１０５の電圧が比較電圧を上回る場合にはデータ期間Ｄａを示し
、他の場合にはプリチャージ期間Ｐｒｅを示し、負単位期間では、データ線１０５の電圧
が比較電圧を下回る場合にデータ期間Ｄａを示し、他の場合にプリチャージ期間Ｐｒｅを
示す。
【００４９】
このことから明らかなように、コンパレータ２２５は、データ線１０５の電圧と比較電
圧とを比較する比較部として機能する一方、データ線１０５の電圧が比較電圧に到達した
ことを検知して、データ線１０５へ出力する信号をプリチャージ信号Ｖｐｒｅからデータ
信号Ｄａに切り替えるように選択回路２２１を制御してプリチャージ期間Ｐｒｅを終了さ
せる第１制御部として機能する。
【００５０】
カウンター回路２２６は、クロック信号ＣＬＫのパルスを計数する回路であり、イネー
ブル信号ＸＥＮＢがＬレベルになるとカウントをスタートし、イネーブル信号ＸＥＮＢが
Ｈレベルになると、カウントをストップし、その時点のカウント値ＦＢを演算回路２２７
に供給する。また、カウンター回路２２６は、リセット信号ＸＲＥＳで指定されるタイミ
ングでカウント値ＦＢをリセットする。リセット信号ＸＲＥＳは、カウント値ＦＢをリセ
ットするタイミングを指定する２値の信号であり、そのレベルは、１Ｈの終了の一定時間
前から１Ｈの終了までの期間においてＬレベルを維持し、他の期間においてＨレベルを維
持する。カウント値ＦＢは、リセット信号ＸＲＥＳがＬレベルになるとリセットされる。
【００５１】
前述のように、液晶装置１では、１Ｈ毎に極性反転が行われ、１Ｈにおいては先ずプリ
チャージが行われる。したがって、データ線１０５の電圧は、正単位期間では、その開始
から上昇し、やがて基準電圧ＧＮＤを上回り、負単位期間では、その開始から低下し、や
がて基準電圧ＧＮＤを下回る。よって、カウンター回路２２６は、プリチャージ期間Ｐｒ
ｅの長さを計測する時間計測部として機能し、そのカウント値ＦＢは、データ線１０５の
プリチャージ期間Ｐｒｅの長さを示す。
【００５２】
演算回路２２７は、カウント値ＦＢと、既知の単位時間とに基づいて、選択信号ＳＥＬ
を生成する。詳細には、まず、単位時間から、カウント値ＦＢで示されるプリチャージ時
間（プリチャージ期間Ｐｒｅの長さ）を減算して、差分時間を算出する。次に、この差分
時間を、１画素を構成する画素回路４００の数、すなわち３で除算することにより、これ
らの画素回路４００の各々に割り当てる時間を算出する。次に、この割り当てが達成させ
るように選択信号ＳＥＬを生成する。
【００５３】
演算回路２２７に生成された選択信号ＳＥＬは、図３のデータ選択回路２１４に供給さ
れる。つまり、演算回路２２７は、カウンター回路２２６に計測されたプリチャージ時間
に基づいて、データ期間Ｄａにおいて、Ｒ、Ｇ及びＢドットの各々に対応するデータ信号
Ｘ１ｒ，Ｘ１ｇ及びＸ１ｂが均等な時間だけ生成されるように、データ信号生成回路２１
１を制御する第２制御部として機能する。
【００５４】
図５は、液晶装置１の動作を説明するためのタイミングチャートである。図５には、１
本のデータ線１０３の電圧の変動が示されているが、実際にはｎ本のデータ線１０３の電
圧が変動する。また、図５に示す２つの１Ｈのうち、前の１Ｈは、１番目の画素について
駆動電圧が書き込まれる正単位期間であり、後の１Ｈは、２番目の画素について駆動電圧
が書き込まれる負単位期間である。
【００５５】
まず、極性信号Ｖｐｌが正レベルとなり、正単位期間が開始する。すると、図４の選択
回路２３では正極性電位Ｖｐが選択され、プリチャージ信号生成回路２０では、レベルが
正極性電位Ｖｐのプリチャージ信号Ｖｐｒｅが生成され、選択回路２２３ではデータ線１
０５の電圧が選択され、選択回路２２４では比較電圧が選択される。図５に示すように、
このときのデータ線１０５の電圧は比較電圧よりも低いから、コンパレータ２２５から出
力されるイネーブル信号ＸＥＮＢはＬレベルとなる。
【００５６】
イネーブル信号ＸＥＮＢがＬレベルとなると、図４の選択回路２２１ではプリチャージ
信号Ｖｐｒｅが選択され、これが出力信号Ｖｏｕｔとしてデータ線１０５に供給される。
つまり、データ線１０５に対するプリチャージが開始する。このときのプリチャージ信号
Ｖｐｒｅのレベルは正極性電位Ｖｐであるから、このプリチャージにより、図５に示すよ
うに、データ線１０５の電圧が上昇し、やがて比較電圧に到達する。
【００５７】
また、イネーブル信号ＸＥＮＢがＬレベルとなると、図３の選択回路２１６では、レベ
ルが正極性電位Ｖｐのプリチャージ信号Ｖｐｒｅが選択され、これがデータ線信号Ｘ１と
してデータ線１０３に供給される。つまり、データ線１０３に対するプリチャージが開始
する。このプリチャージにより、図５に示すように、データ線１０５の電圧は上昇し、や
がて基準電圧ＧＮＤに到達する。
【００５８】
また、イネーブル信号ＸＥＮＢがＬレベルとなると、カウンター回路２２６がカウント
をスタートする。したがって、時間の経過とともにカウント値ＦＢが増加する。
【００５９】
データ線１０５の電圧が比較電圧に到達して、図４の選択回路２２３の出力電圧が選択
回路２２４の出力電圧を上回ると、イネーブル信号ＸＥＮＢがＨレベルとなる。イネーブ
ル信号ＸＥＮＢがＨレベルとなると、選択回路２２１ではデータ信号Ｘｗが選択され、こ
れが出力信号Ｖｏｕｔとしてデータ線１０５に供給される。つまり、プリチャージ期間Ｐ
ｒｅが終了し、データ期間Ｄａが開始する。
【００６０】
データ期間Ｄａにおけるデータ信号Ｘｗの電圧は正電圧である。したがって、データ線
１０５の電圧は、図５に示すように、上昇を継続して当該正電圧に漸近する。したがって
、イネーブル信号ＸＥＮＢは、プリチャージ期間Ｐｒｅが終了してから正単位期間が終了
するまで、Ｈレベルを維持する。
【００６１】
また、イネーブル信号ＸＥＮＢがＨレベルとなると、図４のカウンター回路２２６がカ
ウントをストップし、このときのカウント値ＦＢが演算回路２２７に供給される。カウン
ト値ＦＢは、正単位期間の終了の一定時間前にリセット信号ＸＲＥＳがＬレベルとなると
、リセットされる。演算回路２２７では、供給されたカウント値ＦＢで示される時間を１
Ｈの長さから減算して得られる差分時間（データ期間Ｄａの長さ）を３で除算してデータ
信号Ｘ１ｒ、Ｘ１ｇ及びＸ１ｂの各々に割り当てる時間が算出され、この割り当てが達成
されるように選択信号ＳＥＬが生成される。図３のデータ選択回路２１４では、この選択
信号ＳＥＬに基づいて、データ信号が選択される。すなわち、書込期間Ｒ１においてはデ
ータ信号Ｘ１ｒが選択され、書込期間Ｇ１においてはデータ信号Ｘ１ｇが選択され、書込
期間Ｂ１においてはデータ信号Ｘ１ｂが選択される。
【００６２】
イネーブル信号ＸＥＮＢは、プリチャージ期間Ｐｒｅが終了してから正単位期間が終了
するまで、すなわち書込期間Ｒ１、Ｇ１及びＢ１にわたってＨレベルを維持する。したが
って、選択回路２１６では、データ選択回路２１４に選択されたデータ信号が選択され、
これがデータ線信号Ｘ１としてデータ線１０３に供給される。つまり、データ線１０３に
は、書込期間Ｒ１ではデータ信号Ｘ１ｒが、書込期間Ｇ１ではデータ信号Ｘ１ｇが、書込
期間Ｂ１ではデータ信号Ｘ１ｂが供給される。これらのデータ信号の電位はいずれもゼロ
以上であるから、データ線１０３の電圧は図５に例示するように変化する。
【００６３】
そして、極性信号Ｖｐｌが負レベルとなる。すると、図４の選択回路２３では負極性電
位Ｖｎが選択され、プリチャージ信号生成回路２０では、レベルが負極性電位Ｖｎのプリ
チャージ信号Ｖｐｒｅが生成され、選択回路２２３では比較電圧が選択され、選択回路２
２４ではデータ線１０５の電圧が選択される。図５に示すように、このときの比較電圧は
データ線１０５の電圧よりも低いから、コンパレータ２２５から出力されるイネーブル信
号ＸＥＮＢはＬレベルとなる。
【００６４】
そして、イネーブル信号ＸＥＮＢがＬレベルとなり、負単位期間が開始する。負単位期
間でも、上述と同様の動作が行われる。ただし、負単位期間においては、プリチャージ信
号Ｖｐｒｅのレベルが負極性電位Ｖｎとなるから、プリチャージ期間Ｐｒｅにおいて、デ
ータ線１０５の電圧が低下して比較電圧に到達し、データ線１０３の電圧が低下して基準
電圧ＧＮＤに到達する。また、負単位期間においては、データ信号Ｘｗの電圧が負電圧と
なるから、データ線１０５の電圧は、書込期間Ｒ２，Ｇ２及びＢ２を通じて低下を継続し
て当該負電圧に漸近する。また、負単位期間においては、データ信号Ｘ１ｒ、Ｘ１ｇ及び
Ｘ１ｂの電圧がいずれもゼロ以下となるから、データ線１０３の電圧は図５に例示するよ
うに変化する。
【００６５】
以上説明したように、本実施形態では、データ線１０５の電圧が比較電圧に到達すると
プリチャージ期間Ｐｒｅが終了する。したがって、プリチャージ期間Ｐｒｅを短縮するた
めにプリチャージ信号Ｖｐｒｅを大きくても、余分な電荷がデータ線１０３及び１０５に
チャージされる虞がなく、消費電力が抑制される。また、データ期間Ｄａでは、プリチャ
ージ期間Ｐｒｅの長さ（プリチャージ時間）に基づいて、Ｒ，Ｇ及びＢドットの各々に対
応するデータ信号が均等な時間だけ生成される。つまり、プリチャージ期間Ｐｒｅが短縮
された場合には、その分だけ長く、Ｒ，Ｇ及びＢドットへの電圧の書込期間Ｒ，Ｇ及びＢ
が確保される。よって、本実施形態によれば、消費電力を抑制しつつ長い書込期間を確保
することができる。長い書込期間を確保可能であるからこそ、ＬＴＰＳ−ＴＦＴよりも移
動度が低いａ−ＴＦＴをＴＦＴ５０として採用することができる。
【００６６】
ところで、プリチャージ時間は、プリチャージ信号生成回路２０などの各部の特性の経
時変化によって変動する。したがって、プリチャージ期間が固定の場合には、チャージさ
れる電荷の量が不足して書込不足を招いたり、チャージされる電荷の量が過多となって消
費電力の増大を招いたりするケースが発生する。これに対して、本実施形態では、データ
線の電圧が比較電圧に到達するとプリチャージ期間Ｐｒｅが終了し、計測されたプリチャ
ージ時間に基づいて書込期間Ｒ，Ｇ及びＢが定められるから、すなわち計測されたプリチ
ャージ時間に基づいてプリチャージ期間Ｐｒｅと書込期間Ｒ，Ｇ及びＢとが動的に設定さ
れるから、そのようなケースは発生しない。
【００６７】
＜Ｂ：変形例＞
なお、上述した実施形態を変形し、データ線１０５及びダミー回路５００を設けずに、
複数のデータ線１０３のうちの１本の電圧と比較電圧とを比較するようにしてもよい。こ
の場合、プリチャージ期間Ｐｒｅの開始時の当該１本のデータ線１０３の電圧は、このデ
ータ線１０３を用いて直前に書き込まれた電圧に依存する。そして、この電圧と比較電圧
との差分が小さいほど、計測されるプリチャージ時間は短くなる。つまり、表示内容に応
じた時間がプリチャージ時間として計測される。このプリチャージ時間を長さとしたプリ
チャージ期間は、当該１本のデータ線１０３以外のデータ線１０３については短すぎる虞
がある。
【００６８】
これに対して、上述した実施形態では、データ線１０５の電圧と比較電圧とが比較され
る。そして、データ線１０５には、データ期間Ｄａにおいて、正単位期間にあってはレベ
ルが正極性電位Ｖｐの、負単位期間にあってはレベルが負極性電位Ｖｎのデータ信号Ｘｗ
が供給される。よって、複数のデータ線１０３のいずれについても短すぎることのないプ
リチャージ期間、すなわち十分に長いプリチャージ期間を設定することができる。また、
データ線１０５は表示に寄与しないダミー配線であるから、データ期間Ｄａにおいてデー
タ信号Ｘｗを供給しても、表示には影響が及ばない。
【００６９】
また、上述した実施形態では、画素回路４００がノーマリーブラック方式の液晶素子を
備えるが、これを変形し、画素回路４００がノーマリーホワイト方式の液晶素子を備える
ようにしてもよい。また、上述した実施形態では、３個のドット毎に極性反転が行われる
が、これに限るものではない。すなわち、本発明は、１以上の所定数のドット毎に極性反
転が行われる形態を範囲に含みうる。また、上述した実施形態は、本発明を、カラー画像
を表示する液晶表示装置に適用したものであるが、本発明は、モノクローム画像を表示す
る液晶表示装置や、画像を表示しない液晶装置にも適用可能である。
【００７０】
＜Ｃ：応用例＞
次に、液晶装置１を利用した電子機器について説明する。図６は、液晶装置１を表示装
置として採用したモバイル型のパーソナルコンピュータの構成を示す斜視図である。パー
ソナルコンピュータ２０００は、表示装置としての液晶装置１と本体部２０１０とを備え
る。本体部２０１０には、電源スイッチ２００１およびキーボード２００２が設けられて
いる。
【００７１】
図７に、液晶装置１を表示装置として採用した携帯電話機の構成を示す。携帯電話機３
０００は、複数の操作ボタン３００１およびスクロールボタン３００２、ならびに表示装
置としての液晶装置１を備える。スクロールボタン３００２を操作することによって、液
晶装置１に表示される画面がスクロールされる。
【００７２】
図８に、液晶装置１を表示装置として採用した携帯情報端末（ＰＤＡ：Personal Digit
al Assistants）の構成を示す。情報携帯端末４０００は、複数の操作ボタン４００１お
よび電源スイッチ４００２、ならびに表示装置としての液晶装置１を備える。電源スイッ
チ４００２を操作すると、住所録やスケジュール帳といった各種の情報が液晶装置１に表
示される。
【００７３】
なお、本発明に係る液晶装置が適用される電子機器としては、図６から図８に示したも
ののほか、デジタルスチルカメラ、テレビ、ビデオカメラ、カーナビゲーション装置、ペ
ージャ、電子手帳、電子ペーパー、電卓、ワードプロセッサ、ワークステーション、テレ
ビ電話、ＰＯＳ端末、プリンタ、スキャナ、複写機、ビデオプレーヤ、タッチパネルを備
えた機器等などが挙げられる。
【符号の説明】
【００７４】
１…液晶装置、２０…プリチャージ信号生成回路（プリチャージ信号生成部）、２１…
正極性電位供給部、２２…負極性電位供給部、２３…選択回路（電位選択部）、２１６…
選択回路、３０，２１１…データ信号生成回路（データ信号生成部）、１０１…走査線、
１０３，１０５…データ線、２００…データ線駆動回路、２１０…駆動回路、２２０…タ
イミング制御回路、２２１…選択回路（選択部）、２２３，２２４…選択回路（電圧検出
部）、２１４…データ選択回路、２２２…比較電圧発生回路（比較電圧発生部）、２２５
…コンパレータ（第１制御部、比較部）、２２６…カウンター回路（時間計測部）、２２
７…演算回路（第２制御部）、４００…画素回路、５００…ダミー回路。
【図１】
2011203612.tif 000003
【図２】
2011203612.tif 000004
【図３】
2011203612.tif 000005
【図４】
2011203612.tif 000006
【図５】
2011203612.tif 000007
【図６】
2011203612.tif 000008
【図７】
2011203612.tif 000009
【図８】
2011203612.tif 000010
【図９】
2011203612.tif 000011
【図１０】
2011203612.tif 000012
【図１１】
2011203612.tif 000013